(57)【要約】【課題】  故人の実物形像が具備された納骨箱を提供する。【解決手段】内部に遺骨または遺骨の結晶体(霊玉)が収納できるように、一定の大きさの空間部が形成される納骨箱(10)；前記納骨箱の内部床面に設けられる炭粉層(20)；前記炭粉層の上面に具備される銅板層(21)；前記銅板層の上面に良く淨製された土層(21a)前記土層の上面に具備される絹布(22)；前記納骨箱の上段に具備され入口を開閉する蓋(50)；前記蓋の上面には故人の平素の姿と類似した形像(60)；が具備され、追慕客等が納骨箱の近くに来るとセンサーがこれを感知して自動的に照明灯がオンすると共に、スピーカを通じては故人の平素の音声が出力するのは勿論のことで、納骨箱の側に設置されたモニター画面で故人の生前の活動像と追慕の文章と画像等が実時間で現れるようにし、前方には香ばしい新鮮なお香の香りが仄かに漂うように芳香剤が発散するようにする。【選択図】    図１
2005137820.tif 000002
【特許請求の範囲】
【請求項１】
内部に遺骨または遺骨の結晶体が収納されるように一定の大きさの空間部が形成される納骨箱(10)；
前記納骨箱の内部床面に設置される炭粉層(20)；
記炭粉層の上面に具備される銅板層(21)；
前記銅板層の上面に具備される土層(21a) ；
前記土層の上面に具備される絹布(22)；
前記納骨箱の上段に具備され入口を開閉する蓋(50)；及び
前記蓋の上面には故人の平素の姿と類似した形像(60)；が具備されたことを特徴とする故人の実物形像が具備された納骨箱。
【請求項２】
第１の請求項において、
前記納骨箱の内部には遺骨、遺骨の結晶体を収納する宝石箱(40)がさらに具備されることを特徴とする故人の実物形像が具備された納骨箱。
【請求項３】
第１の請求項において、
前記納骨箱の前面には故人の簡単な略歴と本貫、氏名、出生日、死亡日等が表示された表示部(30)がさらに具備されたことを特徴とする故人の実物形像が具備された納骨箱。
【請求項４】
第１の請求項において、
前記納骨箱の前面には事物を感知するセンサー(31)がさらに具備されたことを特徴とする故人の実物形像が具備された納骨箱。
【請求項５】
第１の請求項において、
前記納骨箱の上部前面の両側には事物が設定位置に接近すると、センサーがこれを感知して自動的に故人の生前の音声が出力することは勿論、盗難防止のため事物がその設定範囲内に進入するとスピーカ(33)を通じてサイレンが警報音を鳴らすようにしたことを特徴とする故人の実物形像が具備された納骨箱。
【請求項６】
第１の請求項において、
前記納骨箱の下部前面両側にはセンサーが事物を感知することにより、自動的に芳香剤が発散するように芳香剤噴射口(32)がさらに具備されたことを特徴とする故人の実物形像が具備された納骨箱。
【請求項７】
第１の請求項において、
前記納骨箱の背面には遺骨または遺骨の結晶体を収納するように、蝶番を中心に開閉するドア(12)と、このドアが開けられないようにロック部(10b)がさらに具備されたことを特徴とする故人の実物形像が具備された納骨箱。
【請求項８】
第１の請求項において、
前記納骨箱の背面の両側にはそれぞれ第１，２引出し(15)(15a)が具備され、この第１，２引出しには前記芳香剤噴射口と連結され、芳香剤を供給する芳香剤収納筒(80)がさらに具備されたことを特徴とする故人の実物形像が具備された納骨箱。
【請求項９】
第８の請求項において、
前記第１引出しには湿気を取除く除湿剤(70)がさらに具備されたことを特徴とする故人の実物形像が具備された納骨箱。
【請求項１０】
第８の請求項において、
前記第１引出しには各種の虫等を退治する害虫退治剤(71)がさらに具備されたことを特徴とする故人の実物形像が具備された納骨箱。
【請求項１１】
第１の請求項において、
前記形像含めた納骨箱は木材、金属、石材、クリスタル、ガラス、アクリル、陶磁器、プラスチックの中で選択された何れか一つの材質で成されたことを特徴とする故人の実物形像が具備された納骨箱。
【請求項１２】
第１の請求項において、
前記故人の形像を胸像、半身像、全身像の中で選択された何れか一つの形像で形成されたことを特徴とする故人の実物形像が具備された納骨箱。
【請求項１３】
第１又は第１２の請求項において、
前記故人の形像の外周面には金、銀、銅、錫、石材粉の中で選択された何れか一つの材質でコーティング処理されたことを特徴とする故人の実物形像が具備された納骨箱。
【請求項１４】
第１の請求項において、
前記故人の形像の内部には遺骨又は結晶体を収納するように空間部(61)を形成し、この空間部は背面に形成されたドア(62)と相互連通するように構成されたことを特徴とする故人の実物形像が具備された納骨箱。
【請求項１５】
第１４の請求項において、
前記故人の形像の底面には空間部と相互連通するように回転型の開閉栓(63)が具備されたことを特徴とする故人の実物形像が具備された納骨箱。
【請求項１６】
第１の請求項において、
前記蓋の上部角には故人の形像を照らす照明灯(51)がさらに具備されたことを特徴とする故人の実物形像が具備された納骨箱。
【請求項１７】
第８の請求項において、
前記第２引出しにはセンサー、スピーカ、モニタ、芳香剤噴射口、照明灯を制御する制御部(90)がさらに具備されたことを特徴とする故人の実物形像が具備された納骨箱。
【請求項１８】
第１７の請求項において、
前記制御部(90)が納骨箱(10)の周囲に設置されたモニターと連結され、故人の生前の姿と活動姿、さらに追慕の文章と画像が映像を通じて見られるようにしたことを特徴とする故人の実物形像が具備された納骨箱。
【請求項１９】
第１の請求項において、
前記納骨箱の下段部には位置変動感知センサー(13)があって、納骨箱の任意移動の際、感知センサーがこれを感知してスピーカを通じて警報サイレンが鳴り、契約された防犯会社に通報することを特徴とする故人の実物形像が具備された納骨箱。
【請求項２０】
第１の請求項において、
前記納骨箱の内部には受信チップ(10a)が内蔵され、紛失した場合GPシステムを利用して納骨箱の位置を正確に把握し、取り戻せるようにしたことを特徴とする故人の実物形像が具備された納骨箱。
【発明の詳細な説明】
【技術分野】
【０００１】
本発明は故人の実物形像が具備された納骨箱(a ossuary have real shape for deceased)に関するものにして、より詳細には故人の遺骨または遺骨の結晶体（霊玉）が収納されている納骨箱(安置壇を含む)の上部にに故人の平素の姿と類似した形像を具備したものにして、さらに、追慕客等が納骨箱の近くにくるとセンサーがこれを感知して自動的に照明灯がオンすると共に、スピーカを通じては故人の平素の音声が出力するのは勿論のことで、納骨箱の側に設置されたモニター画面で故人の生前の活動像と追慕の文章と画像等が実時間で現れるようにし、追慕客が近寄る時にはセンサーが感知して前方には香ばしい新鮮なお香の香りが仄かに漂うように芳香剤が発散するようにしたものであって、土から生まれて土に戻るという理致を具現して、このような効果により、故人に対する追慕の念を安らぎ敬虔にすることができ、故人との断絶感と遺骨を直接保管する場であるという嫌悪感を解消することができ、このことにより製品の品質と信頼性とを大幅に向上し得るようにしたものである。
【背景技術】
【０００２】
一般に納骨箱は火葬を通じて得た遺骨を粉状にして遺骨箱に収納させた後、長期間保管するためのものにして、これは毎年汝矣島（韓国ソウル所在の町の名、約100万坪）の面積に相当する広い国土がお墓造りに供されることから、これを解消する為に埋蔵より火葬を誘導して遺骨を保管する為である。
このような納骨箱は大概収納空間が設けられこのような収納空間をドアが開閉できるように構成されている。つまり、ドアを開放した後収納空間に納骨壺を安置し、さらにドアで収納空間を閉鎖するものにして、この時前記ドアには納骨箱内部を覗けるように透視窓が形成される。
【０００３】
しかしながら、前記の従来技術は納骨箱が冷たく機械的な感じがして追慕を嫌がる等の問題点が生じた。
つまり、従来の納骨箱は単なる遺骨箱を保管する機能の他は何等の機能も無いことが問題点となった。
これをより詳細に説明すれば、従来の納骨箱はドアの開閉に使用されるキーが単なるキーの機能意外には他の付加的な機能の無い等の問題点が有って、さらに故人または遺家族の音声を録音して聞くことができず、さらには平素の故人の姿を追慕客等が知らないという問題点が生じてきた。
【０００４】
さらに、従来の納骨箱の周囲の空気は納骨の変質等に因る不快な匂いのため、参拝客等が嫌悪感を感じて追慕を憚る等の問題点が生じた。
【特許文献１】特開２００１−１５２６９８号公報
【発明の開示】
【発明が解決しようとする課題】
【０００５】
本発明は前記のような従来技術の諸般問題点を解消するために案出されたものであって、故人の遺骨または遺骨の結晶体（霊玉）が収納された納骨箱の上部に故人の平素の姿と類似した形像を具備することを第一目的としたものであって、第二の目的は追慕客等が納骨箱の近くに来るとセンサーがこれを感知して自動的に照明灯が作動し、故人の形像を照らすようにしたものであって、第三の目的は同時にスピーカとモニターを通じては故人の平素の音声と画像とが出力されるようにしたものであり、第四の目的は同時に納骨箱の前方へは香ばしい新鮮なお香の香りが仄かに漂うように芳香剤が発散するようにしたものであり、第五の目的は納骨箱の内部に除湿剤と害虫退治剤を具備して納骨箱を常時清潔に保管できるようにしたものであり、第六の目的はこのような効果により、故人との断絶感を一挙に解消できるようにしたものであって、第七の目的は納骨箱内部に土層を具備して土から生まれて土に戻るという理致を具現できるようにしたものであり、第八の目的はこのことにより製品の品質と信頼性とを大幅に向上し得るようにした故人の実物形像が具備された納骨箱を提供する。
【課題を解決するための手段】
【０００６】
このような目的を達成するために、本発明は内部に遺骨または遺骨の結晶体（霊玉）が収納されるように一定の大きさの空間部が形成される納骨箱；前記納骨箱の内部床面に設けられる炭粉層；前記炭粉層の上面に具備される銅板層；前記銅板層の上面に具備される土層；前記土層の上面に具備される絹布；前記納骨箱の上段に具備され入口を開閉する蓋；及び前記蓋の上面には故人の平素の姿と類似した形像；このように具備されたことを特徴とする故人の実物形像が具備された納骨箱を提供する。
すなわち、本発明の故人の実物形像が具備された納骨箱(a ossuary have real shape for deceased)は以下のような特徴を有する。
【０００７】
本発明の故人の実物形像が具備された納骨箱(a ossuary have real shape for deceased)は、請求項１に記載するように、
内部に遺骨または遺骨の結晶体（霊玉）が収納されるように一定の大きさの空間部が形成される納骨箱(10)；
前記納骨箱の内部床面に設置される炭粉層(20)；
記炭粉層の上面に具備される銅板層(21)；
前記銅板層の上面に具備される土層(21a) ；
前記土層の上面に具備される絹布(22)；
前記納骨箱の上段に具備され入口を開閉する蓋(50)；及び
前記蓋の上面には故人の平素の姿と類似した形像(60)；が具備されたことを特徴とする。
【０００８】
請求項２に記載するように、前記納骨箱の内部には遺骨、遺骨の結晶体（霊玉）を収納する宝石箱(40)がさらに具備されることが好ましい。
また、請求項３に記載するように、前記納骨箱の前面には故人の簡単な略歴と本貫、氏名、出生日、死亡日等が表示された表示部(30)がさらに具備されることが好ましい。
請求項４に記載するように、前記納骨箱の前面には事物を感知するセンサー(31)がさらに具備されることが好ましい。
請求項５に記載するように、前記納骨箱の上部前面の両側には事物が設定位置に接近すると、センサーがこれを感知して自動的に故人の生前の音声が出力することは勿論、盗難防止のため事物がその設定範囲内に進入するとスピーカ(33)を通じてサイレンが警報音を鳴らすようにすることが好ましい。
【０００９】
請求項６に記載するように、前記納骨箱の下部前面両側にはセンサーが事物を感知することにより、自動的に芳香剤が発散するように芳香剤噴射口(32)がさらに具備されることが好ましい。
請求項７に記載するように、前記納骨箱の背面には遺骨または遺骨の結晶体（霊玉）を収納するように、蝶番を中心に開閉するドア(12)と、このドアが開けられないようにロック部(10b)がさらに具備されることが好ましい。
請求項８に記載するように、前記納骨箱の背面の両側にはそれぞれ第１，２引出し(15)(15a)が具備され、この第１，２引出しには前記芳香剤噴射口と連結され、芳香剤を供給する芳香剤収納筒(80)がさらに具備されることが好ましい。
請求項９に記載するように、前記第１引出しには湿気を取除く除湿剤(70)がさらに具備されることが好ましい。
請求項１０に記載するように、前記第１引出しには各種の虫等を退治する害虫退治剤(71)がさらに具備されることが好ましい。
【００１０】
請求項１１に記載するように、前記形像含めた納骨箱は木材、金属、石材、クリスタル、ガラス、アクリル、陶磁器、プラスチックの中で選択された何れか一つの材質で成されることが好ましい。
請求項１２に記載するように、前記故人の形像を胸像、半身像、全身像の中で選択された何れか一つの形像で形成されることが好ましい。
請求項１３に記載するように、前記故人の形像の外周面には金、銀、銅、錫、石材粉の中で選択された何れか一つの材質でコーティング処理されることが好ましい。
請求項１４に記載するように、前記故人の形像の内部には遺骨又は結晶体（霊玉）を収納するように空間部(61)を形成し、この空間部は背面に形成されたドア(62)と相互連通するように構成されることが好ましい。
【００１１】
請求項１５に記載するように、前記故人の形像の底面には空間部と相互連通するように回転型の開閉栓(63)が具備されることが好ましい。
請求項１６に記載するように、前記蓋の上部角には故人の形像を照らす照明灯(51)がさらに具備されることが好ましい。
請求項１７に記載するように、前記第２引出しにはセンサー、スピーカ、モニタ、芳香剤噴射口、照明灯を制御する制御部(90)がさらに具備されることが好ましい。
請求項１８に記載するように、前記制御部(90)が納骨箱(10)の周囲に設置されたモニターと連結され、故人の生前の姿と活動姿、さらに追慕の文章と画像が映像を通じて見られるようにすることが好ましい。
請求項１９に記載するように、前記納骨箱の下段部には位置変動感知センサー(13)があって、納骨箱の任意移動の際、感知センサーがこれを感知してスピーカを通じて警報サイレンが鳴り、契約された防犯会社に通報することが好ましい。
請求項２０に記載するように、前記納骨箱の内部には受信チップ(10a)が内蔵され、紛失した場合GPシステムを利用して納骨箱の位置を正確に把握し、取り戻せるようにすることが好ましい。
【発明の効果】
【００１２】
本発明は、故人の遺骨または遺骨の結晶（霊玉）が収納された納骨箱の上部に、故人の平素の姿と類似した形像を具備したことを特徴としたものであり、追慕客等が納骨箱の近くに来るとセンサーがこれを感知して自動的に照明灯が作動し、故人の形像を照らすようにしたものであり、スピーカを通じては、故人の平素の音声が出力するようにしたものであって、納骨箱の側に設置されたモニターの画面で故人の生前の活動像と追慕の文章等が現れるようにし、追慕客が接近する時にはセンサーが感知して、納骨箱の前方へは爽で新鮮な香りが仄かに漂うように、芳香剤が発散するようにしたものである。
さらに、納骨箱の内部に除湿材と害虫退治剤を具備し、納骨箱を常に清潔に保管できるようにしたものであって、さらに、土から生れ土に戻るという理致を具現する土層、さらに、遺骨箱の外部が石材物と金属物であるとき、発生し得る内部の結露現象を防止できるように、内部には木材で別途の箱を設置した後、遺骨を安置できるようにする木材箱を設置する。
本発明によれば、貴重な生を全うした故人に対する禮遇を通じて、遺族の十分尽くせなかった愛情を表現できるようにし、故人との断絶感を一挙に解消できるようにしたものであって、これにより製品の品質と信頼性を大幅に向上させ得るようにした極めて優れた発明と言える。
【発明を実施するための最良の形態】
【００１３】
以下ではこのような目的を達成するための本発明の好ましい実施例を添付した図面により詳細に説明すれば下記の通りである。
本発明に適用された故人の実物形像が具備された納骨箱は図１乃至図６に図示されたように構成されるものである。
下記にて本発明を説明するにおいて、関連した公知機能または構成に対する具体的な説明が本発明の要旨を不要に疎かにすると判断される場合には詳細な説明を省略する。
さらに、後述される用語等は本発明における機能を考慮して設定された用語等にして、これは生産者の意図または慣例によって異なり得ることから、その定義は本明細書全般に亘る内容を基にして下されるべきである。
【００１４】
まず、本発明に適用された符号10は内部に遺骨の粉末または遺骨の結晶体（霊玉）が収納されるように一定の大きさの空間部(11)が形成された納骨箱（安置壇を含む）にして、この納骨箱(10)は木材、金属材、石材、クリスタル、ガラス、アークリル、プラスチック、陶磁器の内で選択された何れか一つの材質で成されることを特徴とする構成であることは勿論、必要によってはこれ意外の材質で構成することもできる。
さらに、前記納骨箱(10)の内部床面には“防腐効果、濾過効果、湿度調節効果、陰イオン発生効果、有害電子波／放射線〈ラドン〉遮断効果、除臭効果、遠赤外線放射効果、抗菌及び解毒効果、埃及び家ダニ除去効果”がある炭粉層(20)が具備される。
さらに、前記炭粉層(20)の上面には地下から上がってくる水脈波の遮断は勿論、空気中にある水脈波もアース(earth)の役割をして土に戻す銅板層(21)が具備される。
さらには、前記銅板層(21)の上面には土から生まれて土に戻るという理致を具現する土層(21a)を具備して水分を速やかに吸収・排出して紫外線を遮断し、黴を抑制する抗菌性と抗毒性がある絹布(22)が具備される。
【００１５】
本発明はさらに前記納骨箱(10)の内部に遺骨の粉末、結晶体（霊玉）を収納する宝石箱(40)がさらに具備されることを特徴として構成されるものであって、前記宝石箱(40)は単に木材、金属、石材、クリスタル、ガラス、陶磁器等のボックスの形態で構成できることは勿論、上述した通り宝石箱(40)の内部に炭粉層(20)と銅板層(21)、さらに土層(21a) と絹布(22)が具備されるように構成できることは勿論である。
さらに、本発明は前記納骨箱(10)の前面に故人の簡単な略歴（例：本貫、氏名、年齢、出生及び死亡年度、特記事項等・・・）が紹介された表示部(30)が具備される。
符号50は前記納骨箱(10)の上段に具備され、入口を開閉させる蓋であってこの蓋(50)の上面には故人の平素の姿と類似した形像(60)が具備される。
この時、前記故人の形像(60)は胸像、半身像、全身像の中で選択された何れか一つの形像に形成されることが好ましく、前記故人の形像(60)は木材、金属、石材、クリスタル、ガラス、陶磁器、アクリル、プラスチック等で制作し、必要により選択して外周面には金、銀、胴、錫、石材粉の中で選択され、何れか一つの材質でコーティング処理されることを特徴として構成される。
【００１６】
さらに、本発明は他の実施例で前記故人の形像(60)内部に遺骨または遺骨の結晶体（霊玉）を収納するように空間部(61)が形成されるものにして、この空間部(61)は背面に形成されたドア(62)と相互連通するように構成されることを特徴として構成され、さらに、前記故人の形像(60)底面には空間部(61)と相互連通するように回轉型の開閉栓(63)が具備されることを特徴として構成される。
本発明はさらに、前記蓋(50)の上部の角には故人の形像(60)を照らす照明灯(51)がさらに具備されて構成される。
一方、本発明は前記納骨箱(10)の前面に事物を感知するセンサー(31)がさらに具備されることは勿論、前記納骨箱(10)の上部前面の両側には事物が設定位置に接近すると、センサー(31)がこれを感知して自動的に故人の生前の音声が出力されるようにすることは勿論、盗難防止のため事物がその設定範囲内に進入すると、スピーカ(33)を通じてサイレンが警報音を鳴らすように具備され、さらに、前記納骨箱(10)の下部前面の両側にはセンサー(31)が事物を感知することにより、自動的に芳香剤が発散するように芳香剤噴射口(32)が具備される。
【００１７】
さらに、本発明のさらに他の実施例では前記納骨箱(10)の背面に遺骨または遺骨の結晶体（霊玉）を収納できるように、蝶番(13)を中心に開閉できるドア(12)と、このドア(12)が開かないようにロック部(10b)が設けられる。
さらには、本発明は前記納骨箱(10)の背面両側にそれぞれ第１，２引出し(15)(15a)が具備され、この第１，２引出し(15)(15a)には前記芳香剤噴射口(32)と連結され、芳香剤を供給する芳香剤収納筒(80)が具備される。
さらに、前記第一引出し(15)には湿気を取除く除湿剤(70)と各種の虫を退治する害虫退治剤(71)が構成される。さらに、前記第二引出し(15a)には前記センサー(31)、スピーカ(33)、芳香剤噴射口(32)、照明灯(51)を制御する制御部(90)がさらに具備され構成される。勿論、前記制御部(90)にはバッテリ及び各種の部品及び回路機器が内蔵されることは勿論である。
【００１８】
さらに、本発明は人が納骨箱(10)の近傍に近寄れば、これをセンサー(31)が感知して制御部(90)へ信号を送ると、この制御部(90)は納骨箱(10)の周囲に設置されたモニタ（未図示）を自動的に“ON”させ、故人の生前の姿と活動像が追慕の文章と画像がモニタを通じて見られるように構成された。
本発明はさらに、前記納骨箱(10)の下段部には位置変動感知センサー(13)があって、納骨箱(10)の任意移動の際、感知センサー(13)がこれを感知してスピーカ(33)を通じて警報サイレンが鳴り、契約された防犯会社に通報することを特徴とする構成である。
最後に本発明は前記納骨箱(10)の内部に受信チップ(10a)が内蔵され、紛失した際GPSシステムを利用して納骨箱の位置を正確に把握して取戻せるように構成される。前記GPSは衛星航法装置［global positioning system］で飛行機、船舶、自動車だけでなく、世界何処にでも人口衛星を利用して自分の位置を正確に知るシステムであり、このような技術は一般的に知られた技術であることから詳細な説明は省略する。
【００１９】
一方、本発明は前記の構成部を適用するにおいて、多様に変形することができ種々の形態を採用することができる。
さらに、本発明は前記の詳細な説明で言及する特別な形態に限定されるものでは無いものとして理解されるべきであり、かえって添付した請求範囲により、定義される本発明の精神と範囲内にある全ての変形物と均等物及び代替物を含むものとして理解すべきである。
前記のように構成された本発明の故人の実物形像が具備された納骨箱の作用効果を説明すれば下記の通りである。
【００２０】
先ず、本発明は図１，２に示された通り、納骨箱（安置壇を含む)(10)の内部に故人の遺骨または故人の遺骨結晶体を収納するものにして、前記遺骨結晶体は本人が先出願した特許発明に公知された技術にして、特に、粉骨形態の遺骨を高温で溶融した後、徐冷して結晶体（霊玉）に製造するものであって、既に公知された技術である。
前記のように本発明に適用された納骨箱(10)の内部に骨粉または遺骨の結晶体を保管するようになると、骨粉及び結晶体を長時間変質する事なく保管できるようになる。
つまり、納骨箱(10)の内部には炭粉層(20)、銅板層(21)、土層(21a) 、絹布(22)が順次的に具備されるものにして、前記炭粉層(20)は既に知られた通り、防腐効果、濾過効果、湿度調節効果、陰イオン発生効果、有害電子波／放射線〈ラドン〉遮断効果、除臭効果、遠赤外線放射効果、抗菌及び解毒効果、埃及び家ダニ除去効果”を提供するようになり、さらに、銅板層(21)は地下より上昇する水脈波の遮断は勿論、大気中にある水脈波とアース(earth)の役割をして地面に戻す役割をするようになり、さらに土から生まれて土に戻るという理致を具現する土層(21a) 、さらに絹布(22)は水分を速やかに吸収・排出し、紫外線を遮断して黴を抑制する抗菌性と抗毒性があるようにした効果を発揮するようになり、骨粉及び遺骨の結晶体を長期間保管しても変質することが無いようにしたものである。
【００２１】
本発明は図３に示した通り、納骨箱(10)の内部に宝石箱(40)を収納して保管し得るものにして、前記宝石箱(40)にも上述した通り、遺骨または遺骨の結晶体を収納保管するようになる。この時、本発明は宝石箱(40)の内部にも上述した通り、炭粉層、銅板層、土層、絹布を順次具備して遺骨及び遺骨の結晶体を長時間変質すること無しに保管できるようにすることは勿論、前記宝石箱(40)を単に簡単なボックス形態に具備するものの、外部を素晴らしく装い納骨箱(10)の内部に保管して使用できるようにすることは勿論である。
さらに、前記の本発明の特徴は前記納骨箱(10)の上部に故人の平素の姿と類似した形像(60)を具備したことを特徴としたものであって、追慕客等は故人の形像(60)を見ながら参拝するようになり、一層意義深い参拝ができるようになる。
さらに、この際前記形像(60)は胸像、半身像、全身像の中で選択された何れか一つの形像に形成されるのが好ましく、前記故人の形像(60)は木材、金属材、石材、クリスタル、ガラス、アクリル、プラスチック陶磁器等で制作し、必要に応じて選択し、外周面には金、銀、胴、錫、石材粉の中で選択された何れか一つの材質でコーティング処理して外観をより美麗に見せ得るようにした。
【００２２】
本発明は他の実施例にして図４の(a)に示した通り、ドア(62)を通じて故人の形像(60)内部の空間部(61)に、骨粉または遺骨の結晶体を収納できるようにしたことは勿論、図４の(b)に示した通り、回転型開閉栓(63)を選択的に正・逆回転をさせながら空間部(61)の内部に前述した通り、遺骨の骨粉または結晶体を収納保管ができるようにした。
一方、前記の状態で納骨堂等に安置された納骨箱(10)は人が前方数メータに接近すると、センサー(31)が人を感知して照明灯(51)より光が自動発散され、故人の形像を照らすと同時にスピーカ(33)を通じては平素の故人の音声が出力されるようにし、故人を一層意義深く参拝できるようにした。
さらに、本発明は人が納骨箱(10)の近くに接近すると、これをセンサー(31)が感知した後、制御部(90)へ信号を送るとこの制御部(90)は納骨箱(10)の周囲に設置されたモニター（未図示）を自動的に“ON”させ、故人の生前の姿と追慕の文章が映像を通じて見られるようにし、参拝客等が追慕の情を一層深く感じられるようにした。
【００２３】
本発明はさらに、芳香剤収納筒(80)に貯蔵された芳香剤が納骨箱(10)の前方に具備された芳香剤噴射口(32)を通じて、排出されることにより追慕客等が新鮮な香りが仄かに漂う中で参拝ができるようにしたものである。
さらに、本発明は前記第一引出し(15)の内部の湿気を取除く除湿材(70)と、各種の虫等を退治する害虫退治剤(71)が具備され納骨箱(10)の内部の骨粉または遺骨の結晶体を長期間保管しても変質しないようにしたものである。      
一方、本発明は前記納骨箱(10)の下段部に位置変動感知センサー(13)を具備して納骨箱(10)の任意の移動時に、感知センサー(13)がこれを感知し、スピーカ(33)を通じて警報のサイレンが鳴り、契約された防犯会社に通報され納骨箱(10)の盗難を防止するようにしたことは勿論、前記納骨箱(10)の内部には受信チップ(10a)が内蔵され、紛失した場合GPSシステムを利用して納骨箱(10)の位置を正確に把握して取戻せるようにしたものである。
【００２４】
上記にて詳細に述べた通り、本発明は故人の遺骨または遺骨の結晶（霊玉）が収納された納骨箱の上部に、故人の平素の姿と類似した形像を具備したことを特徴としたものであり、追慕客等が納骨箱の近くに来るとセンサーがこれを感知して自動的に照明灯が作動し、故人の形像を照らすようにしたものであり、スピーカを通じては、故人の平素の音声が出力するようにしたものであって、納骨箱の側に設置されたモニターの画面で故人の生前の活動像と追慕の文章等が現れるようにし、追慕客が接近する時にはセンサーが感知して、納骨箱の前方へは爽で新鮮な香りが仄かに漂うように、芳香剤が発散するようにしたものである。
さらに、納骨箱の内部に除湿材と害虫退治剤を具備し、納骨箱を常に清潔に保管できるようにしたものであって、さらに、土から生れ土に戻るという理致を具現する土層、さらに、遺骨箱の外部が石材物と金属物であるとき、発生し得る内部の結露現象を防止できるように、内部には木材で別途の箱を設置した後、遺骨を安置できるようにする木材箱を設置し、このような効果は貴重な生を全うした故人に対する禮遇を通じて、遺族の十分尽くせなかった愛情を表現できるようにし、故人との断絶感を一挙に解消できるようにしたものであって、これにより製品の品質と信頼性を大幅に向上させ得るようにした極めて優れた発明と言える。
【図面の簡単な説明】
【００２５】
【図１】本発明に適用された故人の実物形像が具備された納骨箱の分解斜視図である。
【図２】本発明に適用された故人の実物形像が具備された納骨箱の断面図である。
【図３】本発明に適用された故人の実物形像が具備された納骨箱の他の実施例の断面図である。
【図４】(a)は本発明に適用された胸像の他の実施例の背面図であり、(b)は本発明に適用された胸像の他の実施例の底面斜視図である。
【図５】本発明に適用された納骨箱の他の実施例の背面斜視図である。
【図６】本発明に適用された納骨箱のさらに他の実施例の背面斜視図である。
【符号の説明】
【００２６】
10:納骨箱
12:ドア
15,15a:第1,2 引出
20:炭粉層
21:銅板
22:絹布
30:表示部
31:センサー
31:芳香剤噴射口
33:スピーカ
40:宝石箱
50:蓋
60:故人の形像
90:制御部
【図１】
2005137820.tif 000003
【図２】
2005137820.tif 000004
【図３】
2005137820.tif 000005
【図４】
2005137820.tif 000006
【図５】
2005137820.tif 000007
【図６】
2005137820.tif 000008